(57)【要約】本発明は、水性又は湿った媒質中で紡織繊維製の物品を処理するための組成物への、少なくとも１種の両性多糖類であって、その生来の骨格が・類似の又は異なったアンヒドロヘキソースよりなる主鎖と・少なくとも１種の中性又は陰イオン性のアンヒドロペントース及び（又は）アンヒドロヘキソース単位よりなる分岐とから形成される多糖類であり、該両性多糖類のアンヒドロヘキソース及び（又は）アンヒドロペントース単位が少なくとも１個の陰イオン性若しくは潜在的に陰イオン性の電荷及び（又は）少なくとも１個の陽イオン性若しくは潜在的に陽イオン性の電荷を持つ１個以上の基により置換され又は変性されており、該イオン性又は潜在的にイオン性の電荷を持つ基の全てによるアンヒドロヘキソース及び（又は）アンヒドロペントース単位の置換又は変性の度合が０．０１〜３未満であり、陰イオン性若しくは潜在的にイオン性の電荷の数対陽イオン性若しくは潜在的に陽イオン性の電荷の数の比が９９．５／０．５〜３０／７０の範囲にあるようなものを、該物品の分解を防止し及び（又は）該物品の色彩を保護し及び（又は）該物品に防皺性及び（又は）柔軟性を付与するための薬剤としての使用に関する。【特許請求の範囲】
【請求項１】
水性又は湿った媒質中で紡織繊維製の物品を処理するための組成物への、少なくとも１種の両性多糖類であって、
その生来の骨格が・類似の又は異なったアンヒドロヘキソースよりなる主鎖と・少なくとも１種の中性又は陰イオン性のアンヒドロペントース及び（又は）アンヒドロヘキソース単位よりなる分岐とから形成される多糖類であり、
該両性多糖類のアンヒドロヘキソース及び（又は）アンヒドロペントース単位が少なくとも１個の陰イオン性若しくは潜在的に陰イオン性の電荷及び（又は）少なくとも１個の陽イオン性若しくは潜在的に陽イオン性の電荷を持つ１個以上の基により置換され又は変性されており、
該イオン性又は潜在的にイオン性の電荷を持つ基の全てによるアンヒドロヘキソース及び（又は）アンヒドロペントース単位の置換又は変性の度合が０．０１〜３未満、好ましくは０．０５〜２．５の範囲にあり、
陰イオン性若しくは潜在的にイオン性の電荷の数対陽イオン性若しくは潜在的に陽イオン性の電荷の数の比が９９．５／０．５〜３０／７０、好ましくは９９．５／０．５〜５０／５０の範囲にある
ようなものを、該物品の分解を防止し及び（又は）該物品の色彩を保護し及び（又は）該物品に防皺性及び（又は）柔軟性を付与するための薬剤としての使用。
【請求項２】
該両性多糖類の重量平均分子量が２０００〜３００００００、好ましくは１００００〜２００００００、最も好ましくは１００００〜５０００００の範囲にあることを特徴とする請求項１に記載の使用。
【請求項３】
該両性多糖類のイオン性又は潜在的にイオン性の基が糖骨格の炭素原子に直接又は−Ｏ−結合を介して結合されることを特徴とする請求項１又は２に記載の使用。
【請求項４】
該両性多糖類の陰イオン性又は潜在的に陰イオン性の電荷が陽イオン性又は潜在的に陽イオン性の電荷を持つものと異なっている置換基又は変性基によって与えられることを特徴とする請求項１〜３のいずれかに記載の使用。
【請求項５】
該両性多糖類の陰イオン性又は潜在的に陰イオン性の電荷及び陽イオン性又は潜在的に陽イオン性の電荷が同じベタイン置換基又は変性基によって与えられることを特徴とする請求項１〜３のいずれかに記載の使用。
【請求項６】
該両性多糖類が少なくとも１個の非イオン性の基も含有することを特徴とする請求項１〜５のいずれかに記載の使用。
【請求項７】
該両性多糖類の非イオン性の基が糖骨格の炭素原子に直接又は−Ｏ−結合を介して結合されることを特徴とする請求項６に記載の使用。
【請求項８】
該両性多糖類の陰イオン性又は潜在的に陰イオン性の基がカルボキシレート（カルボン酸）、スルホネート（スルホン酸）、サルフェート（硫酸水素）、ホスフェート（燐酸水素）及びホスホネート（ホスホン酸水素）官能基又はこれらの２種以上の混合物から選ばれることを特徴とする請求項４に記載の使用。
【請求項９】
該両性多糖類の陰イオン性又は潜在的に陰イオン性の基が次式：
−［−ＣＨ２−ＣＨ（Ｒ）−Ｏ］ｘ−（ＣＨ２）ｙ−ＣＯＯＨ
又は
−［−ＣＨ２−ＣＨ（Ｒ）−Ｏ］ｘ−（ＣＨ２）ｙ−ＣＯＯＭ
（ここに、
Ｒは水素原子又は１〜４個の炭素原子を含有するアルキル基であり、
ｘは０〜５の整数であり、
ｙは０〜５の整数であり、
Ｍはアルカリ金属を表わす）
の基から選ばれることを特徴とする請求項８に記載の使用。
【請求項１０】
該両性多糖類の陽イオン性又は潜在的に陽イオン性の基が１個以上のアミノ、アンモニウム、ホスホニウム及びピリジニウム官能基又はこれらの２種以上の混合物から選ばれることを特徴とする請求項４に記載の使用。
【請求項１１】
該両性多糖類の陽イオン性又は潜在的に陽イオン性の基が次式：
−ＮＨ２
−［−ＣＨ２−ＣＨ（Ｒ）−Ｏ］ｘ−（ＣＨ２）ｙ−ＣＯＡ−Ｒ’−Ｎ（Ｒ”）２
−［−ＣＨ２−ＣＨ（Ｒ）−Ｏ］ｘ−（ＣＨ２）ｙ−ＣＯＡ−Ｒ’−Ｎ＋（Ｒ”’）３Ｘ−
−［−ＣＨ２−ＣＨ（Ｒ）−Ｏ］ｘ−（ＣＨ２）ｙ−ＣＯＡ−Ｒ’−ＮＨ−Ｒ””−Ｎ（Ｒ”）２
−［−ＣＨ２−ＣＨ（Ｒ）−Ｏ］ｘ−Ｒ’−Ｎ（Ｒ”）２
−［−ＣＨ２−ＣＨ（Ｒ）−Ｏ］ｘ−Ｒ’−Ｎ＋（Ｒ”’）３Ｘ−
−［−ＣＨ２−ＣＨ（Ｒ）−Ｏ］ｘ−Ｒ’−ＮＨ−Ｒ””−Ｎ（Ｒ”）２
−［−ＣＨ２−ＣＨ（Ｒ）−Ｏ］ｘ−Ｙ−Ｒ”
（ここに、
Ｒは水素原子又は１〜４個の炭素原子を含有するアルキル基であり、
ｘは０〜５の整数であり、
ｙは０〜５の整数であり、
Ｒ’は、１個以上のＯＨ置換基を有し得る１〜１２個の炭素原子を含有するアルキレン基であり、
基Ｒ”は類似であっても異なっていてもよく、水素原子又は１〜１８個の炭素原子を含有するアルキル基であり、
基Ｒ”’は類似であっても異なっていてもよく、１〜１８個の炭素原子を含有するアルキル基であり、
Ｒ””は１〜６個の炭素原子を含有する線状、分岐状又は環状のアルキレン基であり、
ＡはＯ又はＮＨであり、
Ｙは５〜２０個の炭素原子及び窒素複素原子を含有する複素環式脂肪族基であり、
Ｘ−は対イオン、好ましくはハライドであり、またＮ−アルキルピリジニウム−イル基（このアルキル基は１〜１８個の炭素原子を含有する）と対イオン、好ましくはハライドでもある）
を有することを特徴とする請求項１０に記載の使用。
【請求項１２】
該両性多糖類の陽イオン性又は潜在的に陽イオン性の基が・次式：
−ＮＨ２
−ＣＨ２−ＣＯＮＨ−（ＣＨ２）２−Ｎ（ＣＨ３）２
−ＣＨ２−ＣＯＯ−（ＣＨ２）２−ＮＨ−（ＣＨ２）２−Ｎ（ＣＨ３）２
−ＣＨ２−ＣＯＮＨ−（ＣＨ２）３−ＮＨ−（ＣＨ２）２−Ｎ（ＣＨ３）２
−ＣＨ２−ＣＯＮＨ−（ＣＨ２）２−ＮＨ−（ＣＨ２）２−Ｎ（ＣＨ３）２
−ＣＨ２−ＣＯＮＨ−（ＣＨ２）２−Ｎ＋（ＣＨ３）３Ｃｌ−
−ＣＨ２−ＣＯＮＨ−（ＣＨ２）３−Ｎ＋（ＣＨ３）３Ｃｌ−
−（ＣＨ２）２−Ｎ（ＣＨ３）２
−（ＣＨ２）２−ＮＨ−（ＣＨ２）２−Ｎ（ＣＨ３）２
−（ＣＨ２）２−Ｎ＋（ＣＨ３）３Ｃｌ−
塩化２−ヒドロキシプロピルトリメチルアンモニウム−（ＣＨ２）−ＣＨ（ＯＨ）−ＣＨ２−Ｎ＋（ＣＨ３）３Ｃｌ−
の基、
・ピリジニウム−イル基、例えば、次式：
【化１】
2004517227.tif 000017
のＮ−メチルピリジニウム−イル基とクロリド対イオン、
・ヒンダードアミノ基、例えば、一般式：
【化２】
2004517227.tif 000018
（ここに、ＲはＣＨ３又はＨを表わす）
のＨＡＬＳアミンから誘導されるもの
から選ばれることを特徴とする請求項１１に記載の使用。
【請求項１３】
該両性多糖類のベタインイオン基が
・次式：
【化３】
2004517227.tif 000019
の２−メチル（３−スルホプロピル）イミダゾリウム官能基、
・次式：
【化４】
2004517227.tif 000020
の（２−スルホベンジル）イミダゾリウム官能基、
・次式：
【化５】
2004517227.tif 000021
の（３−スルホプロピル）ピリジニウム官能基、
・−（ＣＨ２）２−Ｎ＋（ＣＨ３）２−（ＣＨ２）２−ＣＯＯ−  エチル−ジメチルアンモニウムベタイン官能基、
・−（ＣＨ２）２−Ｎ＋（ＣＨ３）２−（ＣＨ２）３−ＳＯ３−  スルホ−プロピルジメチルアンモニウム官能基
から選ばれることを特徴とする請求項５に記載の使用。
【請求項１４】
該両性多糖類の非イオン性の基が
・次式：
−［−ＣＨ２−ＣＨ（Ｒ）−Ｏ］ｘ−Ｒ１
（ここに、
Ｒは水素原子又は１〜４個の炭素原子を含有するアルキル基であり、
ｘは０〜５の整数であり、
Ｒ１は水素原子、１〜２２個の炭素原子を含有するアルキル基（１個以上の酸素及び（又は）窒素複素原子により中断されていてよい）、６〜１２個の炭素原子を含有するシクロアルキル、アリール又はアリールアルキル基、−（ＣＨ２）ｙ−ＣＯＯＲ２基、−（ＣＨ２）ｙ−ＣＮ基、−（ＣＨ２）ｙ−ＣＯＮＨＲ２基を表わし、
Ｒ２は１〜２２個の炭素原子を含有するアルキル、アリール又はアリールアルキル基を表わし、
ｙは０〜５の整数である）
の基、
・次式：
−ＣＯ−ＮＨ−Ｒ１
（ここに、Ｒ１は上で示した定義を有する）
の基
から選ばれ、糖骨格の炭素原子に−Ｏ−結合を介して結合していることを特徴とする請求項１〜１３のいずれかに記載の使用。
【請求項１５】
該両性多糖類の非イオン性の基が下記の群：
・メチル、エチル、プロピル、イソプロピル、ブチル、ヘキシル、オクチル、ドデシル、オクタデシル、フェニル、ベンジル（糖骨格の炭素原子にエーテル、エステル、アミド又はウレタン結合を介して結合する）、
・シアノエチル、ヒドロキシエチル、ヒドロキシプロピル、ヒドロキシブチル（糖骨格の炭素原子に−Ｏ−結合を介して結合する）
から選ばれることを特徴とする請求項１４に記載の使用。
【請求項１６】
該両性多糖類の生来の骨格がガラクトマンナン、ガラクトグルコマンナン、キシログルカン、キサンタンガム、スクレログルカン、スクシノグリカン、ラムサン及びウエランガムから選ばれることを特徴とする請求項１〜１５のいずれかに記載の使用。
【請求項１７】
該両性多糖類の生来の骨格がガラクトマンナンであることを特徴とする請求項１６に記載の使用。
【請求項１８】
該両性多糖類の生来の骨格がグアーガムであることを特徴とする請求項１７に記載の使用。
【請求項１９】
該両性多糖類が
・塩化カルボキシメチルヒドロキシプロピルトリメチルアンモニウム−ガラクトマンナン、特に塩化カルボキシメチルヒドロキシプロピルトリメチルアンモニウムグアーガム、
・塩化カルボキシメチルヒドロキシプロピルヒドロキシプロピルトリメチルアンモニウム−ガラクトマンナン、特に塩化カルボキシメチルヒドロキシプロピルヒドロキシプロピルトリメチルアンモニウムグアーガム
から選ばれることを特徴とする請求項１〜４、６〜１２及び１４〜１８のいずれかに記載の使用。
【請求項２０】
水性又は湿った媒質中で紡織繊維製の物品を処理するための組成物が、
・水で希釈した後に、被処理物品と接触して置かれる固体又は分散体又は濃厚水溶液の形態、
・水で希釈する前に、乾燥被処理物品上に予め置かれる分散体又は濃厚水溶液の形態、
・希釈無しで乾燥被処理物品上に直接置くべき分散体又は水溶液の形態、或いは該両性多糖類を含み且つ乾燥被処理物品上に直接適用すべき固形支持体の形態、或いは
・該両性多糖類を含み且つ湿った被処理物品と直接接触して置かれる不溶性固形支持体の形態
にあることを特徴とする請求項１〜１９のいずれかに記載の使用。
【請求項２１】
該両性多糖類の量が、該組成物の重量に関して、固形物として表わして、０．０５重量％〜１０重量％の範囲にあることを特徴とする請求項１〜２０のいずれかに記載の使用。
【請求項２２】
該組成物が０．０５重量％〜５重量％の該両性多糖類を含む固形又は液状洗剤処方物であり、希釈によって処理浴を直接形成できることを特徴とする請求項１〜２１のいずれかに記載の使用。
【請求項２３】
該組成物が０．０５重量％〜３重量％の該両性多糖類を含む水性液状すすぎ及び（又は）柔軟処理用処方物であり、希釈によってすすぎ及び（又は）柔軟処理浴を直接形成できることを特徴とする請求項１〜２１のいずれかに記載の使用。
【請求項２４】
該組成物が０．０５重量％〜１０重量％の該両性多糖類を含む固形材料、好ましくは繊維材料の形態のタンブル乾燥機用添加剤であり、タンブル乾燥機内で湿った紡織繊維と接触して置かれることを意図したことを特徴とする請求項１〜２１のいずれかに記載の使用。
【請求項２５】
該組成物が０．０５重量％〜１０重量％の該両性多糖類を含む水性液状アイロン掛け用処方物であることを特徴とする請求項１〜２１のいずれかに記載の使用。
【請求項２６】
該組成物が０．０５重量％〜１０重量％の該両性多糖類を含む予備染み抜き剤であり、該両性多糖類を含有し又は含有しない洗剤処方物を使用する洗浄操作の前に、乾燥物品に適用されることを意図したものであることを特徴とする請求項１〜２１のいずれかに記載の使用。
【請求項２７】
水性又は湿った媒質中で紡織繊維製の物品を処理し又は保護するための組成物の性質を、該組成物に、請求項１〜１９のいずれかに記載の少なくとも１種の両性多糖類を、該物品の分解を防止し及び（又は）該物品の色彩を保護し及び（又は）該物品に防皺性及び（又は）柔軟性を付与するための薬剤として、添加することによって改善させる方法。
【請求項２８】
水性又は湿った媒質中で紡織繊維製の物品を処理し又は保護するための組成物が、
・水で希釈した後に、被処理物品と接触して置かれる固体又は分散体又は濃厚水溶液の形態、
・水で希釈する前に、乾燥被処理物品上に予め置かれる分散体又は濃厚水溶液の形態、
・希釈無しで乾燥被処理物品上に直接置くべき分散体又は水溶液の形態、或いは該両性多糖類を含み且つ乾燥被処理物品上に直接適用すべき固形支持体の形態、或いは
・該両性多糖類を含み且つ湿った被処理物品と直接接触して置かれる不溶性固形支持体の形態
にあるものから選ばれることを特徴とする請求項２７に記載の方法。
【請求項２９】
該両性多糖類の量が、該処理組成物の重量に関して、固形物として表わして、０．０５重量％〜１０重量％固形物の範囲にあることを特徴とする請求項２７又は２８に記載の方法。
【請求項３０】
該組成物が０．０５重量％〜５重量％の該両性多糖類を含む固形又は液状洗剤処方物であり、希釈によって処理浴を直接形成できることを特徴とする請求項２７〜２９のいずれかに記載の方法。
【請求項３１】
該組成物が０．０５重量％〜３重量％の該両性多糖類を含む水性液状すすぎ及び（又は）柔軟処理用処方物であり、希釈によってすすぎ及び（又は）柔軟処理浴を直接形成できることを特徴とする請求項２７〜２９のいずれかに記載の方法。
【請求項３２】
該組成物が０．０５重量％〜１０重量％の該両性多糖類を含む固形材料、好ましくは繊維材料の形態のタンブル乾燥機用添加剤であり、タンブル乾燥機内で湿った紡織繊維と接触して置かれることを意図したことを特徴とする請求項２７〜２９のいずれかに記載の方法。
【請求項３３】
該組成物が０．０５重量％〜１０重量％の該両性多糖類を含む水性液状アイロン掛け用処方物であることを特徴とする請求項２７〜２９のいずれかに記載の使用。
【請求項３４】
該組成物が０．０５重量％〜１０重量％の該両性多糖類を含む予備染み抜き剤であり、該両性多糖類を含有し又は含有しない洗剤処方物を使用する洗浄操作の前に、乾燥物品に適用されることを意図したことを特徴とする請求項２７〜２９のいずれかに記載の方法。
【請求項３５】
重量で０．０５％〜３％の請求項１〜１９のいずれかに記載の両性多糖類を含み、希釈によってすすぎ及び（又は）柔軟処理浴を直接形成できる、紡織繊維製の物品のための水性液状すすぎ及び（又は）柔軟処理用組成物。
【請求項３６】
重量で０．０５％〜１０％の請求項１〜１９のいずれかに記載の両性多糖類を含み、タンブル乾燥機内で湿った繊維物品と接触して置かれることを意図した、紡織繊維製の物品のための固形材料、好ましくは繊維材料の形態のタンブル乾燥機用添加剤。
【請求項３７】
重量で０．０５％〜１０％の請求項１〜１９のいずれかに記載の両性多糖類を含む、紡織繊維製の物品のための水性液状アイロン掛け用処方物。
【請求項３８】
重量で０．０５％〜１０％の請求項１〜１９のいずれかに記載の両性多糖類を含み、該両性多糖類を含有し又は含有しない洗剤処方物を使用する洗浄操作の前に、乾燥物品上置かれることを意図した紡織繊維製の物品のための予備染み抜き剤。
【発明の詳細な説明】
【０００１】
本発明は、紡織繊維製の物品、特に綿を基材とした物品、特に着色された物品を水性媒質又は湿った媒質中で保護するための組成物に、該物品の分解を防止し及び（又は）該物品の色彩を保護し及び（又は）該物品に防皺性及び（又は）柔軟性を付与するための薬剤として、両性多糖類を使用することに関する。
【０００２】
表現“紡織繊維製の物品、特に織物を保護する”とは、これらの物品を物理的及び化学的分解現象に対して保護すること、特に、着色された物品の色彩を保護すること及び（又は）それらの物品に利益、例えば柔軟性及び（又は）防皺性を提供することを意味する。
【０００３】
織物の機械による洗浄は、繊維、特に綿繊維の物理的及び化学的分解をもたらす。洗剤やある種の特定の化合物、例えば酸化性物質（過硼酸塩又は過炭酸塩）又はある種の酵素により与えられたアルカリ性は、綿繊維の化学的分解の原因となり得る。しかし、一般的には、繊維の分解をもたらすのは化学的作用と機械的作用との組合せである。機械的作用は、洗浄、すすぎ、遠心乾燥又はタンブル乾燥中に生じる（後者の場合はタンブル乾燥機内で起こる）。この繊維の分解は、繊維の表面にフィブリルの形成をもたらし、これは着色された繊維からそれらの輝きを失わせることになる。また、この分解は、繊維の強度の低下を誘発させ、これは極端な場合には織物の引裂きを生じさせるかもしれない。この繊維の分解は、着色された繊維の色彩の損失か又は繊維の引裂き強度の低下のいずれかにより定量的に評価することができる。一般的には、このタイプの分解を認識するためには１０〜２０回の累積機械洗浄を実施することが必要である。
【０００４】
洗浄機械でのクリーニングは、遠心乾燥操作をシステム的に含むので、やはり皺の付いた織物をもたらし、これは特に繊維間の水素結合の形成によりタンブル乾燥段階中に際だってくる。従って、これらを体裁良く見せるためには織物をアイロン掛けする必要がある。
【０００５】
洗浄又はすすぎ中の繊維の分解を減少させるために、化学製品又は洗剤の供給者は、洗剤処方物の変更を使用してきたし又はある種の特定の添加剤を使用してきた。
特に、酸化性の系を含む洗剤が挙げられるが、これはクリーニング能力を低下させた。
シリコーン系の化合物、特にアミノシリコーン（ＵＳ−Ａ−４５８５５６３、ＷＯ９２／０７９２７、ＷＯ９８／３９４０１）も使用された。
【０００６】
本発明者は、紡織繊維製の物品、特に綿を基材とした物品、特に着色された物品を処理するための組成物に、該組成物の水性媒体又は湿った媒質中での作業条件下で可溶性である高分子量のある種の両性多糖類を使用することが、これらの物品の分解を防止するのを可能にし及び（又は）これらの物品の色彩を保護し及び（又は）これらの物品に防皺性及び（又は）柔軟性を付与するのを可能にさせることを見出した。
【０００７】
このような組成物は、特に、織物を洗浄し及び（又は）すすぎ及び（又は）柔軟処理し、洗浄前の繊維の汚れを除去し（予備染み抜き剤）、湿った織物をタンブル乾燥機でタンブル乾燥し、又は織物をアイロン掛けするための組成物であることができる。
【０００８】
本発明の第一の主題は、水性又は湿った媒質中で紡織繊維製の物品を処理するための組成物への、少なくとも１種の両性多糖類であって、
その生来の骨格が・類似の又は異なったアンヒドロヘキソースよりなる主鎖と・少なくとも１種の中性又は陰イオン性のアンヒドロペントース及び（又は）アンヒドロヘキソース単位よりなる分岐とから形成される多糖類であり、
該両性多糖類のアンヒドロヘキソース及び（又は）アンヒドロペントース単位が少なくとも１個の陰イオン性若しくは潜在的に陰イオン性の電荷及び（又は）少なくとも１個の陽イオン性若しくは潜在的に陽イオン性の電荷を持つ１個以上の基により置換され又は変性されており、
該イオン性又は潜在的にイオン性の電荷を持つ基の全てによるアンヒドロヘキソース及び（又は）アンヒドロペントース単位の置換又は変性の度合が０．０１〜３未満、好ましくは０．０５〜２．５の範囲にあり、
陰イオン性若しくは潜在的にイオン性の電荷の数対陽イオン性若しくは潜在的に陽イオン性の電荷の数の比が９９．５／０．５〜３０／７０、好ましくは９９．５／０．５〜５０／５０の範囲にある
ようなものを、該物品の分解を防止し及び（又は）該物品の色彩を保護し及び（又は）該物品に防皺性及び（又は）柔軟性を付与するための薬剤としての使用よりなる。
【０００９】
該両性多糖類の重量平均分子量は２０００〜３００００００、好ましくは１００００〜２００００００、最も好ましくは１００００〜５０００００の範囲にある。
【００１０】
該両性多糖類の重量平均分子量Ｍｗは、寸法排除クロマトグラフィーによって測定することができる。測定は、イオン性又は潜在的にイオン性の官能基によるＤＳｉが０．５未満である多糖類の場合には、０．０５Ｍの硝酸ナトリウム及び１０ｐｐｍの高分子量ポリアリルジメチルアミン塩酸塩（ＰＤＡＤＭＡ）を含有する０．１Ｍぎ酸水溶液中で達成される。ＤＳｉが０．５以上であるものについては、０．０２５Ｍの塩酸水溶液が使用される。
重量平均分子量Ｍｗは、光の散乱値からそれ自体知られた態様で直接得られる。
【００１１】
置換又は変性の度合ＤＳｉは、アンヒドロヘキソース及び（又は）アンヒドロペントース単位当たりの、イオン性又は潜在的にイオン性の基により置換され又は変性されたアンヒドロヘキソース及び（又は）アンヒドロペントース単位中のヒドロキシル官能基の平均数に相当する。
該イオン性又は潜在的にイオン性の基は、糖骨格の炭素原子に直接か又は−Ｏ−結合を介するかのいずれかにより結合される。
【００１２】
本発明によれば、陰イオン性若しくは潜在的に陰イオン性の電荷は、陽イオン性若しくは潜在的に陽イオン性の電荷を持つものと異なった置換基又は変性基によって提供できる。しかして、この重合体が両性多糖類である。
【００１３】
また、本発明によれば、同じ置換基又は変性基が陰イオン性又は潜在的に陰イオン性の電荷と陽イオン性又は潜在的に陽イオン性の電荷を共に有することができる。このような多糖類はベタイン型のものである。
【００１４】
本発明の一具体例によれば、該両性多糖類は、少なくとも１個の非イオン性の基も含有できる。
該非イオン性の基は、糖骨格の炭素原子に直接か又は−Ｏ−結合を介するかのいずれかにより結合される。
このような基の存在は、置換基のモル数ＭＳとして、即ち、アンヒドロヘキソース及び（又は）アンヒドロペントース単位当たりの反応した該非イオン性置換基の先駆物質の平均モル数として表わされる。
【００１５】
該先駆物質が新しい反応性ヒドロキシル基を形成できない（例えば、ヒドロキシアルキル化先駆物質）ならば、イオン性又はイオン化性の基及び非イオン性の基の全てによる置換又は変性の度合は、定義により３未満である。
該先駆物質が新しい反応性ヒドロキシル基を形成できる（例えば、ヒドロキシアルキル化先駆物質）ならば、置換基のモル数ＭＳは理論的に制約されない。それは、例えば６まで、好ましくは２までである。
【００１６】
挙げられる陰イオン性又は潜在的に陰イオン性の基としては、カルボキシレート（カルボン酸）、スルホネート（スルホン酸）、サルフェート（硫酸水素）、ホスフェート（燐酸水素）及びホスホネート（ホスホン酸水素）などの官能基を含有するものである。
【００１７】
特に、次式：
−［−ＣＨ２−ＣＨ（Ｒ）−Ｏ］ｘ−（ＣＨ２）ｙ−ＣＯＯＨ
又は
−［−ＣＨ２−ＣＨ（Ｒ）−Ｏ］ｘ−（ＣＨ２）ｙ−ＣＯＯＭ
（ここに、
Ｒは水素原子又は１〜４個の炭素原子を含有するアルキル基であり、
ｘは０〜５の整数であり、
ｙは０〜５の整数であり、
Ｍはアルカリ金属を表わす）
の基が挙げられる。
【００１８】
特に、糖骨格の炭素原子に直接結合したカルボキシル基−ＣＯＯ−Ｎａ＋及び糖骨格の炭素原子に−Ｏ−結合を介して結合したカルボキシメチル基（ナトリウム塩）−ＣＨ２−ＣＯＯ−Ｎａ＋が挙げられる。
【００１９】
陽イオン性又は潜在的に陽イオン性の基としては、１個以上のアミノ、アンモニウム、ホスホニウム、ピリジニウムなどの官能基を含有するものが挙げられる。
【００２０】
特に、次式：
−ＮＨ２
−［−ＣＨ２−ＣＨ（Ｒ）−Ｏ］ｘ−（ＣＨ２）ｙ−ＣＯＡ−Ｒ’−Ｎ（Ｒ”）２
−［−ＣＨ２−ＣＨ（Ｒ）−Ｏ］ｘ−（ＣＨ２）ｙ−ＣＯＡ−Ｒ’−Ｎ＋（Ｒ”’）３Ｘ−
−［−ＣＨ２−ＣＨ（Ｒ）−Ｏ］ｘ−（ＣＨ２）ｙ−ＣＯＡ−Ｒ’−ＮＨ−Ｒ””−Ｎ（Ｒ”）２
−［−ＣＨ２−ＣＨ（Ｒ）−Ｏ］ｘ−Ｒ’−Ｎ（Ｒ”）２
−［−ＣＨ２−ＣＨ（Ｒ）−Ｏ］ｘ−Ｒ’−Ｎ＋（Ｒ”’）３Ｘ−
−［−ＣＨ２−ＣＨ（Ｒ）−Ｏ］ｘ−Ｒ’−ＮＨ−Ｒ””−Ｎ（Ｒ”）２
−［−ＣＨ２−ＣＨ（Ｒ）−Ｏ］ｘ−Ｙ−Ｒ”
（ここに、
Ｒは水素原子又は１〜４個の炭素原子を含有するアルキル基であり、
ｘは０〜５の整数であり、
ｙは０〜５の整数であり、
Ｒ’は、１個以上のＯＨ置換基を有し得る１〜１２個の炭素原子を含有するアルキレン基であり、
基Ｒ”は類似であっても異なっていてもよく、水素原子又は１〜１８個の炭素原子を含有するアルキル基であり、
基Ｒ”’は類似であっても異なっていてもよく、１〜１８個の炭素原子を含有するアルキル基であり、
Ｒ””は１〜６個の炭素原子を含有する線状、分岐状又は環状のアルキレン基であり、
ＡはＯ又はＮＨであり、
Ｙは５〜２０個の炭素原子及び窒素複素原子を含有する複素環式脂肪族基であり、
Ｘ−は対イオン、好ましくはハライド（特に、クロリド、ブロミド又はヨージド）であり、またＮ−アルキルピリジニウム−イル基（このアルキル基は１〜１８個の炭素原子を含有する）と対イオン、好ましくはハライド（特に、クロリド、ブロミド又はヨージド）でもある）
を有する陽イオン性若しくは潜在的に陽イオン性の基が挙げられる。
【００２１】
特に挙げられる陽イオン性又は潜在的に陽イオン性の基としては、
・次式：
−ＮＨ２
−ＣＨ２−ＣＯＮＨ−（ＣＨ２）２−Ｎ（ＣＨ３）２
−ＣＨ２−ＣＯＯ−（ＣＨ２）２−ＮＨ−（ＣＨ２）２−Ｎ（ＣＨ３）２
−ＣＨ２−ＣＯＮＨ−（ＣＨ２）３−ＮＨ−（ＣＨ２）２−Ｎ（ＣＨ３）２
−ＣＨ２−ＣＯＮＨ−（ＣＨ２）２−ＮＨ−（ＣＨ２）２−Ｎ（ＣＨ３）２
−ＣＨ２−ＣＯＮＨ−（ＣＨ２）２−Ｎ＋（ＣＨ３）３Ｃｌ−
−ＣＨ２−ＣＯＮＨ−（ＣＨ２）３−Ｎ＋（ＣＨ３）３Ｃｌ−
−（ＣＨ２）２−Ｎ（ＣＨ３）２
−（ＣＨ２）２−ＮＨ−（ＣＨ２）２−Ｎ（ＣＨ３）２
−（ＣＨ２）２−Ｎ＋（ＣＨ３）３Ｃｌ−
塩化２−ヒドロキシプロピルトリメチルアンモニウム−（ＣＨ２）−ＣＨ（ＯＨ）−ＣＨ２−Ｎ＋（ＣＨ３）３Ｃｌ−
の基、
・ピリジニウム−イル基、例えば、次式：
【化６】
2004517227.tif 000002
のＮ−メチルピリジニウム−イル基とクロリド対イオン、
・ヒンダードアミノ基、例えば、一般式：
【化７】
2004517227.tif 000003
（ここに、ＲはＣＨ３又はＨを表わす）
のＨＡＬＳアミンから誘導されるもの
である。
【００２２】
挙げられるベタイン基としては、特に、
・次式：
【化８】
2004517227.tif 000004
の２−メチル（３−スルホプロピル）イミダゾリウム官能基、
・次式：
【化９】
2004517227.tif 000005
の（２−スルホベンジル）イミダゾリウム官能基、
・次式：
【化１０】
2004517227.tif 000006
の（３−スルホプロピル）ピリジニウム官能基、
・−（ＣＨ２）２−Ｎ＋（ＣＨ３）２−（ＣＨ２）３−ＣＯＯ−  エチル−ジメチルアンモニウムベタイン官能基、
・−（ＣＨ２）２−Ｎ＋（ＣＨ３）２−（ＣＨ２）３−ＳＯ３−  スルホ−プロピルジメチルアンモニウム官能基
である。
【００２３】
挙げられる非イオン性の基としては、
・次式：
−［−ＣＨ２−ＣＨ（Ｒ）−Ｏ］ｘ−Ｒ１
（ここに、
Ｒは水素原子又は１〜４個の炭素原子を含有するアルキル基であり、
ｘは０〜５の整数であり、
Ｒ１は水素原子、１〜２２個の炭素原子を含有するアルキル基（１個以上の酸素及び（又は）窒素複素原子により中断されていてよい）、６〜１２個の炭素原子を含有するシクロアルキル、アリール又はアリールアルキル基、−（ＣＨ２）ｙ−ＣＯＯＲ２基、−（ＣＨ２）ｙ−ＣＮ基、−（ＣＨ２）ｙ−ＣＯＮＨＲ２基を表わし、
Ｒ２は１〜２２個の炭素原子を含有するアルキル、アリール又はアリールアルキル基を表わし、
ｙは０〜５の整数である）
の基、
・次式：
−ＣＯ−ＮＨ−Ｒ１
（ここに、Ｒ１は上で示した定義を有する）
の基であり、糖骨格の炭素原子に−Ｏ−結合を介して結合する。
【００２４】
特に、下記の基が挙げられる。
・メチル、エチル、プロピル、イソプロピル、ブチル、ヘキシル、オクチル、ドデシル、オクタデシル、フェニル、ベンジル（糖骨格の炭素原子にエーテル、エステル、アミド又はウレタン結合を介して結合する）、
・シアノエチル、ヒドロキシエチル、ヒドロキシプロピル、ヒドロキシブチル（糖骨格の炭素原子に−Ｏ−結合を介して結合する）
から選ばれる。
【００２５】
生来の骨格の主鎖のヘキソース単位（同一又は異なっていてよい）は、Ｄ−グルコース、−、Ｄ−又はＬ−ガラクトース、Ｄ−マンノース、Ｄ−又はＬ−フコ−ス、Ｌ−ラムノースなどの単位であり得る
【００２６】
生来の骨格の分岐の中性及び（又は）陰イオン性のペントース及び（又は）ヘキソース単位（同一又は異なっていてよい）は、Ｄ−キシロース、Ｌ−又はＤ−アラビノース、Ｄ−グルコース、Ｄ−又はＬ−ガラクトース、Ｄ−マンノース、Ｄ−又はＬ−フコ−ス、Ｌ−ラムノースなど、Ｄ−グルクロン酸、Ｄ−ガラクツロン酸、Ｄ−マンヌロン酸などの単位であってよい。
【００２７】
挙げられる生来の骨格の例は、ガラクトマンナン、ガラクトグルコマンナン、キシログルカン、キサンタンガム、スクレログルカン、スクシノグリカン、ラムサン及びウエランガムなどを包含する。
【００２８】
生来の骨格は好ましくはガラクトマンナンである。ガラクトマンナンは、β（１−４）位置で結合したＤ−マンノピラノース単位の主鎖にα（１−６）位置でＤ−ガラクトピラノースが置換してなる高分子である。これらのうちでは、特にグアーガム、カロブガム及びタラガムが挙げられる。
生来の骨格は、最も好ましくはグアーガムである。グアーガムは、２のマンノース／ガラクトース比を有する。
【００２９】
本発明に従って使用される両性多糖類は、生来の骨格をイオン性又は潜在的にイオン性の及び場合により非イオン性の基の先駆物質を使用して官能基付与することによって得ることができる。これらの官能基付与操作は、既知の態様で酸化、置換、縮合又は付加によって達成することができる。
【００３０】
本発明により使用できる両性多糖類の例としては、
・塩化カルボキシメチルヒドロキシプロピルトリメチルアンモニウム−ガラクトマンナン、特に塩化カルボキシメチルヒドロキシプロピルトリメチルアンモニウムグアー、
・塩化カルボキシメチルヒドロキシプロピルヒドロキシプロピルトリメチルアンモニウム−ガラクトマンナン、特に塩化カルボキシメチルヒドロキシプロピルヒドロキシプロピルトリメチルアンモニウムグアー
が挙げられる。
【００３１】
カルボキシメチル基は、例えば、モノクロル酢酸によるカルボキシメチル化により導入できる。ヒドロキシプロピルトリメチルアンモニウム基は、例えば塩化３−クロル−２−ヒドロキシプロピルトリメチルアンモニウム又は塩化エポキシプロピルトリメチルアンモニウムを使用してエステル化又はエポキシ化により導入できる。カルボキシメチル基は、既知の態様で、例えばモノクロル酢酸によるカルボキシメチル化により導入できる。
【００３２】
本発明の第二の主題は、水性又は湿った媒質中で紡織繊維製の物品を処理し又は保護するための組成物の性質を、この組成物に、前記した少なくとも１種の両性多糖類を該物品の分解を防止し及び（又は）該物品の色彩を保護し及び（又は）該物品に防皺性及び（又は）柔軟性を付与するための薬剤として添加することによって改善させる方法よりなる。
【００３３】
本発明に従って使用される該両性多糖類は、該処理組成物の作業ｐＨにおいてイオン性又はイオン化性の電荷を含有する。
【００３４】
組成物及び作業（又は処理）条件は多数の形態であってよい。
該組成物は、
・水で希釈した後に、被処理物品と接触して置かれる固体（粉末、顆粒、錠剤など）又は分散体又は濃厚水溶液の形態、
・水で希釈する前に、乾燥被処理物品上に予め置かれる分散体又は濃厚水溶液の形態、
・希釈無しで乾燥被処理物品上に直接置くべき分散体又は水溶液の形態、或いは該両性多糖類を含み且つ乾燥被処理物品上に直接適用すべき固形支持体（棒状体）の形態、或いは
・該両性多糖類を含み且つ湿った被処理物品と直接接触して置かれる不溶性固形支持体の形態
にあってよい。
【００３５】
従って、本発明の組成物は、
・希釈によって洗浄浴を直接形成できる固形又は液状洗剤処方物、
・希釈によってすすぎ及び（又は）柔軟処理浴を直接形成できる液状すすぎ及び（又は）柔軟処理用処方物、
・該両性多糖類を含み、タンブル乾燥機内で湿った織物と接触させて置くことを意図した固形材料、特に繊維様材料（この固形材料は以下“タンブル乾燥機用添加剤”という）、
・水性アイロン掛け用処方物、
・該両性多糖類を含有し又は含有しない洗剤処方物を使用する洗浄操作の前に、乾燥織物上に置くことを意図した洗浄用添加剤（“予備染み抜き剤”）（この添加剤を以下“予備染み抜き剤”という）
となろう。
【００３６】
本発明の組成物は、織物の保護、特に綿を基材とした織物、具体的には少なくとも３５％の綿を含有する織物の保護に特に好適である。それは、着色された織物を保護するのに最も好適である。
【００３７】
本発明に従って使用される両性多糖類は、該組成物の水性媒質又は湿った媒質中での作業条件下で可溶性である。
該両性多糖類は、その重量の５０％以上、好ましくは７０％が本発明の組成物の作業用水性媒質又は湿った媒質中に、即ち、特に該媒質の温度及びｐＨ条件下で可溶であるときに可溶性であると見なされる。
【００３８】
本発明の組成物の作業ｐＨは、所望の用途によって、約２〜約１２の範囲にあろう。
組成物が、
・洗剤処方物であるときは、洗浄浴のｐＨは一般に約７〜約１１，好ましくは８〜１０．５であり、
・すすぎ及び（又は）柔軟処理用処方物であるときは、すすぎ及び（又は）柔軟処理浴のｐＨは一般に約２〜８であり、
・タンブル乾燥機用添加剤であるときは、考慮すべきｐＨは残留水のｐＨであり、これは約２〜９であり、
・水性アイロン掛け用処方物であるときは、ｐＨは一般に約５〜９であり、
・予備染み抜き剤であるときは、考慮すべきｐＨは洗浄の後の操作のための洗浄浴のｐＨ、即ち、約７〜１１、好ましくは８〜１０．５である。
【００３９】
本発明に従って使用される両性多糖類の量は、所望の用途に依存するが、該組成物の乾燥重量に対して、乾燥重量として０．０５％〜１０％の範囲である。
しかして、該両性多糖類（ＡＰ）は下記のように使用することができる。
【表１】
2004517227.tif 000007
【００４０】
本発明の保護用組成物には該両性多糖類と共に他の成分が存在できる。しかして、該組成物は、少なくとも１種の界面活性剤及び（又は）洗剤添加剤及び（又は）すすぎ用添加剤及び（又は）紡織繊維製の物品用の柔軟添加剤及び（又は）該両性多糖類用の固形支持体（特に繊維支持体）を含有することができる。
【００４１】
これらの成分の種類は該組成物の所望の用途に依存する。
従って、それが織物を洗浄するための洗剤処方物であるときは、それは、一般に、
・少なくとも１種の天然及び（又は）合成の界面活性剤、
・少なくとも１種の洗剤用補助剤（“ビルダー”）
・随意の酸化剤又は系、及び
・一連の特定の添加剤
を含む。
【００４２】
洗剤処方物は、界面活性剤を該洗剤処方物に対して約３重量％〜４０重量％に相当する量で含有することができる。これらの界面活性剤は以下の通りである。
【００４３】
陰イオン性界面活性剤
・式：Ｒ−ＣＨ（ＳＯ３Ｍ）−ＣＯＯＲ’（ここに、ＲはＣ８〜Ｃ２０、好ましくはＣ１０〜Ｃ１６アルキル基を表わし、Ｒ’はＣ１〜Ｃ６、好ましくはＣ１〜Ｃ３アルキル基を表わし、Ｍはアルカリ金属（ナトリウム、カリウム又はリチウム）陽イオン、置換又は非置換アンモニウム（メチル−、ジメチル−、トリメチル−又はテトラメチルアンモニウム、ジメチルピペリジニウムなど）又はアルカノールアミン誘導体（モノエタノールアミン、ジエタノールアミン、トリエタノールアミンなど）を表わす）のアルキルエステルスルホン酸塩。特に、基ＲがＣ１４〜Ｃ１６であるメチルエステルスルホン酸塩が挙げられる。
・式：ＲＯＳＯ３Ｍ（ここに、ＲはＣ５〜Ｃ２４、好ましくはＣ１０〜Ｃ１８アルキル又はヒドロキシアルキル基を表わし、Ｍは水素原子又は上記と同じ定義の陽イオンを表わす）のアルキル硫酸塩、並びに、平均して０．５〜３０個、好ましくは０．５〜１０個のＥＯ及び（又は）ＰＯ単位を含有するこれらのエトキシレン化（ＥＯ）及び（又は）プロポキシレン化（ＰＯ）された誘導体。
・式：ＲＣＯＮＨＲ’ＯＳＯ３Ｍ（ここに、ＲはＣ２〜Ｃ２２、好ましくはＣ６〜Ｃ２０アルキル基を表わし、Ｒ’はＣ２〜Ｃ３アルキル基を表わし、Ｍは水素原子又は上記と同じ定義の陽イオンを表わす）のアルキルアミド硫酸塩、並びに、平均して０．５〜６０個のＥＯ及び（又は）ＰＯ単位を含有するこれらのエトキシレン化（ＥＯ）及び（又は）プロポキシレン化（ＰＯ）された誘導体。
・飽和又は不飽和のＣ８〜Ｃ２４、好ましくはＣ１４〜Ｃ２０脂肪酸塩、Ｃ９〜Ｃ２０アルキルベンゼンスルホン酸塩、第一又は第二Ｃ８〜Ｃ２２アルキルスルホン酸塩、アルキルグリセリルスルホン酸塩、ＧＢ−Ａ−１０８２１７９に記載のスルホン化ポリカルボン酸、パラフィンスルホン酸塩、Ｎ−アシルＮ−アルキルタウリン酸塩、アルキル燐酸塩、イセチオン酸塩、アルキルこはく酸塩、アルキルスルホこはく酸塩、スルホこはく酸塩のモノエステル又はジエステル、Ｎ−アシルサルコシネート、アルキルグリコシド硫酸塩、ポリエトキシカルボン酸塩。これらの物質の陽イオンは、アルカリ金属（ナトリウム、カリウム又はリチウム）、置換又は非置換アンモニウム残基（メチル−、ジメチル−、トリメチル−又はテトラメチルアンモニウム、ジメチルピペリジニウムなど）又はアルカノールアミン誘導体（モノエタノールアミン、ジエタノールアミン、トリエタノールアミンなど）である。
【００４４】
非イオン性界面活性剤
・ポリオキシアルキレン化（ポリオキシエチレン化、ポリオキシプロピレン化又はポリオキシブチレン化）されたアルキルフェノール（ここに、アルキル置換基はＣ６〜Ｃ１２であり、５〜２５個のオキシアルキレン単位を含有する）。挙げられる例は、ローム＆ハース社より販売されるトリトンＸ−４５、Ｘ−１１４、Ｘ−１００又はＸ−１０２である。
・グルコサミド、グルカミド又はグリセリンアミド。
・１〜２５個のオキシアルキレン（オキシエチレン又はオキシプロピレン）単位を含有するポリオキシアルキレン化Ｃ８〜Ｃ２２脂肪族アルコール。挙げられる例は、ユニオンカーバイド社により販売される製品タージトール１５−Ｓ−９及びタージトール２４−Ｌ−６ＮＭＷ、シェルケミカル社より販売されるネオドール４５−９、ネオドール２３−６５、ネオドール４５−７及びネオドール４５−４、並びにプロクター＆ギャンブル社より販売されるキロＥＯＢである。
・エチレンオキシドの縮合から生じる生成物又はプロピレンオキシドとプロピレングリコールとの縮合から生じる化合物、例えば、ＢＡＳＦ社より販売されるフルロニック製品。
・エチレンオキシドの縮合から生じる生成物又はプロピレンオキシドとエチレンジアミンとの縮合から生じる化合物、例えば、ＢＡＳＦ社より販売されるテトロニック製品。
・アミンオキシド、例えば、Ｃ１０〜Ｃ１８アルキルジメチルアミンオキシド及びＣ８〜Ｃ２２アルコキシエチルジヒドロキシエチルアミンオキシド。
・ＵＳ−Ａ−４５６５６４７に記載されたアルキルポリグリコシド。
・Ｃ８〜Ｃ２０脂肪酸アミド。
・エトキシル化脂肪酸。
・エトキシル化脂肪アミド。
・エトキシル化アミン。
【００４５】
両性及び双性イオン界面活性剤
・アルキルジメチルベタイン。アルキルアミドプロピルジメチルベタイン、アルキルトリメチルスルホベタイン、及び脂肪酸とたんぱく加水分解物との縮合生成物。
・アルキルアンフォ酢酸塩又はアルキルアンフォ二酢酸塩（ここに、アルキル基は６〜２０個の炭素原子を含有する）。
【００４６】
界面活性を向上させるための洗剤用補助剤（“ビルダー”）を、液状洗剤処方物については約５〜５０重量％、好ましくは約５〜３０重量％に相当するの量で、又は粉末洗剤処方物については約１０〜８０重量％、好ましくは１５〜５０重量％に相当する量で使用することができる。
【００４７】
無機洗剤用補助剤
・ポリ燐酸（トリポリ硫酸、ピロ硫酸、オルト硫酸又はヘキサメタ硫酸）アルカリ金属、アンモニウム又はアルカノールアミン塩。
・テトラ硼酸塩又は硼酸塩先駆物質。
・珪酸塩、特に、ＳｉＯ２／Ｎａ２Ｏ比が約１．６／１〜３．２／１であるもの並びにＵＳ−Ａ−４６６４８３９に記載の層状珪酸塩。
・炭酸（重炭酸又はセスキ炭酸）アルカリ金属又はアルカリ土類金属、
・珪酸アルカリ金属水和物と炭酸アルカリ金属（ナトリウム又はカリウム）との共顆粒状物であって、Ｑ２又はＱ３形の珪素原子に富むもの（ＥＰ−Ａ−４８８８６８に記載）。
・結晶質又は非晶質のアルミノ珪酸アルカリ金属又はアンモニウム塩、例えば、ゼオライトＡ、Ｐ、Ｘなど。約０．１〜１０μｍの粒度を持つゼオライトＡが好ましい。
【００４８】
有機洗剤用補助剤
・水溶性ポリ燐酸塩（エタン１−ヒドロキシ−１，１−ジホスホン酸塩、メチレンジホスホン酸塩など）。
・カルボン酸重合体又は共重合体の水溶性塩或いはそれらの水溶性塩、例えば、
−ポリカルボン酸塩エーテル（オキシジこはく酸及びその塩類、モノこはく酸酒石酸塩及びその塩類、ジこはく酸酒石酸塩並びにその塩類）、
−ヒドロキシポリカルボン酸塩エーテル、
−くえん酸及びその塩類、メリット酸及びこはく酸及びそれらの塩類、
−ポリ酢酸塩（エチレンジアミン四酢酸塩、ニトリロ三酢酸塩、Ｎ−（２−ヒドロキシエチル）ニトリロ二酢酸塩）、
−Ｃ５〜Ｃ２０アルキルこはく酸及びそれらの塩類（２−ドデセニルこはく酸塩、ラウリルこはく酸塩）、
・カルボン酸ポリアセタールエステル、
・ポリアスパラギン酸及びポリグルタミン酸並びにそれらの塩類、
・アスパラギン酸及び（又は）グルタミン酸の重縮合から誘導されるポリイミド、
・グルタミン酸又はその他のアミノ酸のポリカルボキシメチル誘導体。
【００４９】
また、洗剤処方物は、ペル化合物、特にペル酸塩よりなる少なくとも１種の酸素放出性漂白剤を含むことができる。
該漂白剤は、洗剤処方物に対して約１重量％〜３０重量％、好ましくは４重量％〜２０重量％に相当する量で存在できる。
使用することができるペル化合物の例としては、特に、過硼酸塩、例えば過硼酸ナトリウム一水塩又は四水塩、過酸化化合物、例えば炭酸ナトリウム過酸化水素化物、ピロ燐酸塩過酸化水素化物、尿素過酸化水素化物、過酸化ナトリウム及び過硫酸ナトリウムが挙げられる。
好ましい漂白剤は、過硼酸ナトリウム一水塩若しくは四水塩及び（又は）炭酸ナトリウム過酸化水素化物である。
【００５０】
この漂白剤は、一般的には、洗浄媒質中の現場で、洗剤処方物に対して約０．１重量％〜１２重量％、好ましくは０．５重量％〜８重量％に相当する量でペルオキシカルボン酸を発生させる漂白活性剤と併用される。これらの活性剤としては、テトラアセチルエチレンジアミン、テトラアセチルメチレンジアミン、テトラアセチルグリコールウリル、ｐ−アセトキシベンゼンスルホン酸ナトリウム、ペンタアセチルグルコース及びオクタアセチルラクトースが挙げられる。
【００５１】
また、酸素の存在下に光活性化により作用する非酸素系漂白剤、例えばスルホン化アルミニウム及び（又は）亜鉛フタロシアニンが挙げられる。
【００５２】
また、洗剤処方物は、汚れ剥離剤、再付着防止剤、キレート剤、分散剤、蛍光増白剤、抑泡剤、柔軟剤、酵素及び種々のその他の添加剤を含有することができる。
【００５３】
汚れ剥離剤
これらは、約０．０１〜１０重量％、好ましくは約０．１〜５重量％、更に好ましくは約０．２〜約３重量％の量で使用できる。
特に下記のものが挙げられる。
・セルロース誘導体、例えばセルロースヒドロキシエーテル、メチルセルロース、エチルセルロース、ヒドロキシプロピルメチルセルロース又はヒドロキシブチルメチルセルロース、
・ポリオキシアルキレン幹にグラフトされたポリビニルエステル、例えばポリオキシエチレン幹にグラフトされたポリ酢酸ビニル（ＥＰ−Ａ−２１９０４８）、・ポリビニルアルコール、
・エチレンテレフタレート及び（又は）プロピレンテレフタレート単位とポリオキシエチレンテレフタレート単位とをベースとしたポリエステル共重合体であって、エチレンテレフタレート及び（又は）プロピレンテレフタレート（単位数）／ポリオキシエチレンテレフタレート（単位数）のモル比が約１／１０〜１０／１、好ましくは約１／１〜９／１であり、ポリオキシエチレン単位を含有するポリオキシエチレンテレフタレートが約３００〜５０００、好ましくは約６００〜５０００の分子量を有するもの（ＵＳ−Ａ−３９５９２３０、ＵＳ−Ａ−３８９３９２９、ＵＳ−Ａ−４１１６８９６、ＵＳ−Ａ−４７０２８５７、ＵＳ−Ａ４７７０６６６）、
・エトキシル化アリルアルコール、テレフタル酸ジメチル及び１，２−プロピレンジオールから誘導されるオリゴマーのスルホン化により得られ、１〜４個のスルホン化された基を含有するスルホン化ポリエステルオリゴマー（ＵＳ−Ａ−４９６８４５１）、
・プロピレンテレフタレート単位とポリオキシエチレンテレフタレート単位とをベースとし、エチル又はメチル単位で終端しているポリエステル共重合体（ＵＳ−Ａ−４７１１７３０）、或いはアルキルポリエトキシ基で（ＵＳ−Ａ−４７０２８５７）又はスルホポリエトキシ基で（ＵＳ−Ａ−４７２１５８０）又はスルホアロイル陰イオン基で（ＵＳ−Ａ−４８７７８９６）で終端しているポリエステルオリゴマー、
・テレフタル酸、イソフタル酸及びスルホイソフタル酸、無水物又はジエステルとジオールから誘導されるスルホン化ポリエステル共重合体（ＦＲ−Ａ−２７２０３９９）。
【００５４】
再付着防止剤
これらは、一般に、粉末洗剤処方物については約０．０１〜１０重量％、液状洗剤処方物については約０．０１〜５重量％の量で使用できる。
特に下記のものが挙げられる。
・エトキシル化モノアミン又はポリアミン及びエトキシル化アミン重合体（ＵＳ−Ａ−４５９７８９８、ＥＰ−Ａ−１１９８４）、
・カルボキシメチルセルロース、
・イソフタル酸、スルホこはく酸ジメチル及びジエチレングリコールの縮合により得られるスルホン化ポリエステルオリゴマー（ＦＲ−Ａ−２２３６９２６）、・ポリビニルピロリドン。
【００５５】
キレート剤
鉄及びマグネシウムをキレート化するためのキレート剤は、約０．１〜１０重量％、好ましくは約０．１〜３重量％の量で存在できる。
中でも、下記のものが挙げられる。
・アミノカルボン酸塩、例えばエチレンジアミン四酢酸塩、ヒドロキシエチルエチレンジアミン三酢酸塩及びニトリロ三酢酸塩、
・アミノホスホン酸塩、例えばニトリロトリス（メチレンホスホン酸塩）、
・多官能性芳香族化合物、例えばジヒドロキシジスルホベンゼン。
【００５６】
重合体分散剤
これらは、カルシウム及びマグネシウム硬度を制御するために約０．１〜７重量％の量で使用できる。これらは例えば下記のものである。
・アクリル酸、マレイン酸又は無水物、フマル酸、イタコン酸、アコニチン酸、メサコン酸、シトラコン酸又はメチレンマロン酸のようなエチレン性不飽和カルボン酸の重合又は共重合により得られる分子量が約２０００〜１０００００である水溶性ポリカルボン酸塩、特に分子量が約２０００〜１００００であるポリアクリル酸塩（ＵＳ−Ａ−３３０８０６７）、分子量が約５０００〜７５０００であるアクリル酸と無水マレイン酸との共重合体（ＥＰ−Ａ−６６９１５）、
・分子量が約１０００〜５００００であるポリエチレングリコール。
【００５７】
蛍光剤（増白剤）
これらは約０．０５〜１．２重量％の量で使用され、例えば、スチルベン、ピラゾリン、クマリン、フマル酸、桂皮酸、アゾール、メチンシアニン、チオフェンなどの誘導体が挙げられる（Ｍ．ザーランドニック、“蛍光増白剤の製造と応用”、ジョンウイリー＆ソンズ社、ＮＹ、１９８２年発行）。
【００５８】
抑泡剤
これらは、５重量％までになり得る量で存在できる。たとえば、下記のものが挙げられる。
・Ｃ１０〜Ｃ２４モノカルボキシ脂肪酸又はそのアルカリ金属、アンモニウム若しくはアルカノールアミン塩、及び脂肪酸トリグリセリド、
・飽和又は不飽和の脂肪族、脂環式、芳香族又は複素環式炭化水素、例えばパラフィン及びワックス、
・Ｎ−アルキルアミノトリアジン、
・燐酸モノステアリル、及び燐酸モノステアリルアルコール、
・シリカ粒子と併用し得るポリオルガノシロキサンオイル又は樹脂。
【００５９】
柔軟剤
これらは、重量で５ｍｇまでになり得る量で存在できる。これらは例えばクレーである。
【００６０】
酵素
これらは、洗剤処方物単位ｇ当たり重量で５ｍｇの活性酵素までになり得る量で、好ましくは約０．０５〜３ｍｇの活性酵素の量で存在できる。これらは下記のような酵素である。
・プロテアーゼ、アミラーゼ、リパーゼ、セルラーゼ及びペルオキシダーゼ（ＵＳ−Ａ−３５５３１３９、ＵＳ−Ａ−４１０１４５７、ＵＳ−Ａ−４５０７２１９、ＵＳ−Ａ−４２６１８６８）。
【００６１】
その他の添加剤
中でも、下記のものが挙げられる。
・緩衝剤、
・香料、
・顔料。
【００６２】
洗剤処方物は、特に洗浄機械において、０．５ｇ／Ｌ〜２０ｇ／Ｌ、好ましくは２ｇ／Ｌ〜１０ｇ／Ｌの割合で使用して洗浄操作を約２５℃〜９０℃の温度で実施することができる。
【００６３】
本発明の第二の具体例は、該両性多糖類を、織物をすすぎ及び（又は）柔軟処理するための水性液状処方物に使用することからなる。
この処方物は、０．２〜１０ｇ／Ｌ、好ましくは２〜１０ｇ／Ｌの割合で使用することができる。
【００６４】
該両性多糖類と共に、下記のタイプのその他の成分が存在できる。
・陽イオン性界面活性剤（ジメチル硫酸で４級化されたトリエタノールアミンジエステル、Ｎ−メチルイミダゾリンタロウエステルジメチル硫酸、塩化ジアルキルジメチルアンモニウム、塩化アルキルベンジルジメチルアンモニウム、硫酸メチルアルキルイミダゾリウム、硫酸メチル・メチルビス（アルキルアミドエチル）−２−ヒドロキシエチルアンモニウムなど）の、３％〜５０％、好ましくは４％〜３０％（該処方物について）になり得る量での組み合わせ。随意に、３％までになり得る量での非イオン性界面活性剤（エトキシル化脂肪アルコール、エトキシル化アルキルフェノールなど）との併用。
・光学的増白剤（０．１％〜０．２％）、
・随意の色彩堅牢剤（ポリビニルピロリドン、ポリビニルオキサゾリドン、ポリメタクリルアミドなど、０．０３％〜２５％、好ましくは０．１％〜１５％）、・着色剤、
・香料、
・溶剤、特にアルコール（メタノール、エタノール、プロパノール、イソプロパノール、エチレングリコール又はグリセリン）、
・制泡剤。
【００６５】
本発明の第三の具体例は、該両性多糖類を、好適なタンブル乾燥機において織物を乾燥するための添加剤に使用することからなる。
この添加剤は、例えば、該両性多糖類を含浸させた織布若しくは不織布のストリップ又はセルロースシートよりなる可撓性固形支持体からなる。該添加剤は、乾燥すべき湿った洗濯物に約５０〜８０℃の温度で１０〜６０分間のタンブル乾燥時に導入される。
該添加剤は、陽イオン性柔軟剤（９９％まで）及び色彩堅牢剤（８０％まで）、例えば上で挙げたものも含有することができる。
【００６６】
本発明の第四の具体例は、該両性多糖類を、アイロン掛けの前に乾燥織物上に直接噴霧できるアイロン掛け用処方物に使用することからなる。
該処方物は、シリコーン系重合体（０．２％〜５％）、非イオン性界面活性剤（０．５％〜５％）、陰イオン性界面活性剤（０．５％〜５％）、香料（０．１％〜３％）又はセルロース誘導体（０．１％〜３％）、例えばでんぷんも含有することができる。該処方物の織物への噴霧は、アイロン掛けを容易にさせ且つ身に付けたときに織物の皺を制限させる。
【００６７】
本発明の第五のグリコールは、該両性多糖類を、水溶液又は分散液或いは固体（スティック）の形態である予備染み抜き剤に使用することからなる。
該両性多糖類と共に、下記のタイプのその他の成分が存在できる。
・陰イオン性界面活性剤、例えば上で既に述べたようなものを、組成物の重量の少なくとも５％の量で、
・非イオン性界面活性剤、例えば上で既に述べたようなものを、組成物の重量の１５％〜４０％であり得る量で、
・脂肪族炭化水素を、組成物の重量の５％〜２０％であり得る量で。
【００６８】
また、本発明の主題は、前記した液状水性すすぎ及び（又は）柔軟処理用組成物、タンブル乾燥機用添加剤、水性アイロン掛け用組成物及びタンブル乾燥機用添加剤にある。
【００６９】
後記の実施例は、例示のために示すものである。
重量平均分子量は、寸法排除クロマトグラフィーに従って以下のように決定される。
測定は、０．１Ｍのぎ酸、０．０５Ｍの硝酸ナトリウム及び１０ｐｐｍのＰＤＭＤＭＡ  Ｃｌ−を含有する酸性ｐＨの水中で達成される。
【００７０】
機械の特徴は、以下の通りである。
・クロマトグラフィーカラム：３個のショーデックスＳＢ８０６ＨＱ  ３０ｃｍ、５μｍカラム、４０℃、
・インジェクターポンプ：ウオーターズ５１５＋  ウイスプ７１７＋
・検出器：ＲＩウオーターズ４１０感度８の屈折計，ＭＡＬＬＳウイアット光散乱、６３３ｎｍ  Ｈｅレーザー
・流量：１ｍＬ／分
【００７１】
注入された溶液（２００μＬ）は、約０．２重量％の多両性多糖類を含有する。重量平均分子量は、角度０に外挿された光散乱値を使用して、較正なしで直接確立される。これらの値はＣｘＭｘ（ｄｎ／ｄｃ）２に比例する。
ここに、
Ｃは多糖類濃度に相当し、
Ｍは重量平均分子量に相当し、
ｎは溶液の光学指数に相当し、
ｃは多糖類濃度に相当し、
比ｄｎ／ｄｃはここでは０．１５０に等しい。
【００７２】
例１〜３
（ａ）グアーの塩化３−クロル−２−ヒドロキシプロピルトリメチルアンモニウムによる変性
合成は、３Ｌのジャケットにより加熱する反応器／ミキサーで行なった。撹拌は、特定の形状のアームを備えた水平シャフトと反応器本体に結合した対抗パドルを使用して行なった。数ｍｍのギャップが固形粒子を過度の剪断なしに撹拌させる。
試験は、後記の種々の工程に従って進める。
・蒸留水（２２０ｇ）を３０℃で、次いで塩化３−クロル−２−ヒドロキシプロピルトリメチルアンモニウム反応剤（０．５６モル、即ち、６５％のＨ２Ｏ中に１３３ｇ）を導入し、１分間混合する。
・水酸化ナトリウムの最初の分（２０％のＨ２Ｏ中に９３ｇのＮａＯＨ）を導入し、１分間攪拌する。温度は３８℃以下に保持する。
・重量平均分子量が約２５０００００ｇ／モルのグアーを粉砕された形態（“破片”の形）（４００ｇ）で導入し、次いで真空と加圧を交互に置くことによって反応媒質のフラッシングを行なう（少なくとも３回）。
・水酸化ナトリウムの第二の分（２０％の水に８２ｇのＮａＯＨ）を２０〜３０分間導入し、次いで反応媒質を更にフラッシングする。
・加熱して４３〜５０℃にし、次いで僅かに正の窒素圧下に４３〜５０℃に４０分間保持する。
・反応後に、１６ｇの３％硼砂水溶液と５ｇのドライアイス（ＣＯ２）を添加する。３８℃以下の温度に冷却した後に反応器を空にする。
・反応媒質を水洗し、次いでアセトンで洗浄し、次いで４０℃で真空乾燥する。
【００７３】
（ｂ）塩化ヒドロキシプロピルトリメチルアンモニウム−グアーのモノクロル酢酸による変性
凝縮器とモーター駆動テフロン製パドル撹拌機を備えた１Ｌの四つ口丸底フラスコに、系をアルゴンで長時間パージした後に、３６８ｍＬのイソプロピルアルコール（ＩＰＡ）を導入する。撹拌機にスイッチを入れた（１５０ｒｐｍ）後、５０ｇの粉末状陽イオン性グアー反応剤を添加する。均質な分散体が得られ、次いで１２０ｇの９．３６％水酸化ナトリウム水溶液（即ち、０．２８２３モルの水酸化ナトリウム）を添加する。この混合物を１０ｍＬのＩＰＡによりすすぐ。陽イオン性グアーは膨潤し、沈降して壁に粘着する傾向を有する。撹拌速度を２７７ｒｐｍに上昇させて粉末を再分散させ、その媒質をこれらの条件でアルゴン雰囲気下に１時間３０分放置する。次いで、５０ｍＬのＩＰＡに溶解したｘモルのモノクロル酢酸（ＭＣＡＡ）を添加する。
【００７４】
ＭＣＡＡの添加量ｘは以下の通りである。
【表２】
2004517227.tif 000008
【００７５】
この混合物を１０ｍＬのＩＰＡですすぐ。次いで、反応物を６６℃にサーモスタットで保持した浴を使用して６０℃に加熱し、これらの条件で６０℃に３時間３０分放置する。この時間の後、加熱を止め、反応物を２５℃に冷却する。
反応媒質をＮｏ．３フリットガラスでろ過する。これにより、ベージュ／オレンジ色の湿った固体が単離された。ろ液は明るい淡黄色で塩基性である。次いで、固体を７００ｍＬの脱イオン水に溶解させて非常に粘稠な溶液とした。次いで、この生成物をメタノールから沈殿させ、次いでろ過し、ＭｅＯＨ／Ｈ２Ｏ混合物（８０／２０）により、得られるろ液が約７のｐＨを有するまで洗浄する。純メタノールにより最終洗浄を行ない、固体を単離し、４５℃で１００ｍｍＨｇでオーブン乾燥する。
【００７６】
得られた両性グアーの特性は、以下の通りである。
【表３】
2004517227.tif 000009
【００７７】
例４
洗剤処方物
【表４】
2004517227.tif 000010
【００７８】
洗浄操作を、洗剤組成物の処方者の専門家に周知のテルゴメーター実験室用機械において行なう。この機械は、脈動形アメリカ式洗浄機の機械的及び熱的効果を模擬するものであるが、しかし、６個の洗浄ドラムの存在のために、それは時間を相当に節約して同時的な一連の試験を実施するのを可能にさせる。
２０×２０ｃｍの試験片を仕上げてない綿から切り取る。
この綿試験片を、まず、洗浄の前に、それらが全部同じレベルの皺を有するように、アイロン掛けする。
【００７９】
次いで、これらの試験片を、両性多糖類を含有する上記の洗剤処方物を使用して洗浄し、下記の条件下で１回すすぐ。
・テルゴメータードラム当たりの試験片の数：２
・水の容積：１Ｌ
・コントレゼビユ（登録商標）ブランドのミネラルウオーターを適度に希釈することにより得たフランス硬度３０°ＴＨの水
・洗剤濃度：５ｇ／Ｌ
・洗浄温度：４０℃
・洗浄時間：２０分
・テルゴメーターの撹拌速度：１００ｒｐｍ
・冷水（約３０°ＴＨ）によるすすぎ
・すすぎ時間：５分間
次いで、試験片に３ｋｇのプレスで２０秒間皺を付け、その後、垂直にして終夜乾燥する。
【００８０】
同じ洗剤処方物であるが、両性多糖類を含まないものを使用して、同じ操作を行なう。
次いで、乾燥試験片のデジタルカラー写真を撮り、次いでこれを２５６個のレベルの灰色度（グレー）に変換する（０〜２５５のグレースケール）。
それぞれのレベルの灰色度に相当するピクセルの数を計数する。
得られたそれぞれのヒストグラムについて、灰色度のレベルの分布の標準偏差σを測定する。
σ１は、両性多糖類を含有しない洗剤処方物により得られた標準偏差に相当する。
σ２は、両性多糖類を含有する洗剤処方物により得られた標準偏差に相当する。
性能の値は、次の方程式：
−Δσ＝σ２−σ１
により与えられる。
【００８１】
得られた性能の値は以下の通りである。
【表５】
2004517227.tif 000011
【００８２】
これらの−Δσの正の値は、本発明に従う両性多糖類を含む洗剤処方物によって与えられる耐皺性を表わしている。
【００８３】
例５
すすぎ／柔軟処理用処方物
【表６】
2004517227.tif 000012
【００８４】
例６
色彩の保護の測定
原理
これは、いくつかの着色綿織物の試料を規定してない条件下で１０回洗浄することからなる。色彩の保護効率を自動洗浄機で試験する。実際の測定は、反射率の測定によって行なう。織物は、１０回の洗浄の前後で検査する。このようにして記録された色彩の変化（ΔＥ＊）は、それぞれのタイプの織物上の色彩の損失を構成する。
【００８５】
装置−反応剤
＊ＡＥＧラバマット２０５０ターボ自動洗浄機：
商業用前面投入洗浄機、４０℃での洗浄サイクル、洗浄水の容積：１３Ｌ
記録されたプログラム：１０回の洗浄サイクル
＊ＬＵＣＩ  １００−Ｄｒランゲの反射計：
これは、洗浄の前後の織物の色彩を測定するために使用される反射率測定器である。
＊６枚のティータオル：参照番号４０２ＭＢＬＩ（Ｄ．ポートホウルト社）の灰色綿布からできている。
＊４枚のタオル（バラストとして）：プラッシュループ白色綿パイルタオル５００ｇ／ｍ２（Ｄ．ポートホウルト社）
＊３種の異なった市販の着色織物
黒色綿織物
赤色綿織物
すみれ色綿織物
【００８６】
操作手順
洗浄条件
洗浄温度：４０℃
洗浄期間：約６７分
洗浄数：１０
ランドリーの投入：３ｋｇの乾燥重量（４枚のタオル、６枚のティークロスと着色織物）
浴の容積：１３Ｌ±１Ｌ
・水の硬度：約２３°のフランス硬度、
・洗浄処方物濃度：５±０．１ｇ／ｌ
【００８７】
手順：５工程
・新しい織物の試料の色彩を測定する。
・継続洗浄中に解れないようにするために着色綿織物の試料をティークロスに縫い付ける。
・サイクルの間に乾燥なしで１０回洗浄を行なう。
・戸外で乾燥する。
・洗浄した織物上の色彩を測定する。
色彩は、ＬＵＣＩ  １００反射計で測定する。
使用する測定システムは、ＣＩＥ（国際照明委員会）−Ｌ＊ａ＊ｂ＊システム（ＤＩＮ６１７４，ＣＩＥ−ＬＡＢ１９７６）である。
それは、次のように構成される。
Ｌ＊は、白−黒スケール上での白色度に相当する。
白色試料についてＬ＊＝１００
黒色試料についてＬ＊＝０
ａ＊は緑〜赤の範囲にある色彩の位置を定める。
ａ＊≧０    色彩は赤に近づく傾向がある。
ａ＊≦０    色彩は緑に近づく傾向がある。
ｂ＊は黄〜青の範囲にある色彩の位置を定める。
ｂ＊≧０    色彩は黄に近づく傾向がある。
ｂ＊≦０    色彩は青に近づく傾向がある。
それぞれの織物試料を５個の異なった点（中央で１箇所、それぞれの隅で１箇所）で測定し、成分Ｌ＊、ａ＊及びｂ＊の平均を計算する。
【００８８】
結果の活用
反射計には、上で記録されたデータからΔＥ＊を間接的に計算するソフトウエアーを備え付ける。この値は、洗浄後に織物上に記録された色彩変化に相当し、以下のように表わされる。
【数１】
2004517227.tif 000013
次いで、それぞれの織物についての色彩の損失が下記の式により与えられる。
【数２】
2004517227.tif 000014
参照物質に対する多糖類の性能の質が、多糖類を含まない処方物とこれを含む処方物との間のΔＥ＊の差として測定する。
また、色彩の累積損失が、着色織物の色彩の損失の和として計算される。
【００８９】
以下の洗剤処方物（Ｆ１）及び（Ｆ２）を製造する。
【表７】
2004517227.tif 000015
【００９０】
両性多糖類を含まない処方物（Ｆ１）及び０．５％の両性多糖類を含む処方物（Ｆ２）を前記したようにして試験する。
％色彩保護率（ＩＰ）が、次の方程式：
ＩＰ｛［（Ｆ１）のΔＥ］−［（Ｆ２）のΔＥ］／［（Ｆ１）のΔＥ］｝
×１００
得られた結果は以下の通りである。
【表８】
2004517227.tif 000016
これらの結果は、処方物（Ｆ）における両性多糖類の存在が色彩の保護を向上させることを示している。
【国際公開パンフレット】
2004517227.tif 000022
2004517227.tif 000023
2004517227.tif 000024
2004517227.tif 000025
2004517227.tif 000026
2004517227.tif 000027
2004517227.tif 000028
2004517227.tif 000029
2004517227.tif 000030
2004517227.tif 000031
2004517227.tif 000032
2004517227.tif 000033
2004517227.tif 000034
2004517227.tif 000035
2004517227.tif 000036
2004517227.tif 000037
2004517227.tif 000038
2004517227.tif 000039
2004517227.tif 000040
2004517227.tif 000041
2004517227.tif 000042
2004517227.tif 000043
2004517227.tif 000044
2004517227.tif 000045
2004517227.tif 000046
2004517227.tif 000047
2004517227.tif 000048
2004517227.tif 000049
2004517227.tif 000050
2004517227.tif 000051
2004517227.tif 000052
2004517227.tif 000053
2004517227.tif 000054
2004517227.tif 000055
2004517227.tif 000056
2004517227.tif 000057
2004517227.tif 000058
2004517227.tif 000059
2004517227.tif 000060
【国際公開パンフレット（コレクトバージョン）】
2004517227.tif 000061
【国際調査報告】
2004517227.tif 000062
2004517227.tif 000063
2004517227.tif 000064
2004517227.tif 000065
2004517227.tif 000066
2004517227.tif 000067